(57)【要約】【課題】電源の様々な状態に対応することが可能な撮影システムおよび当該撮影システムに関連する技術を提供する。【解決手段】撮影システム１は、デジタルカメラ１０と支持台２０とを備える。支持台２０は、副照明２４や主照明３０などの電力消費部材に対して電力を供給することが可能な支持台側電源内蔵充電池ＢＴ２，内蔵ＡＣアダプタＡＴ２を有する。デジタルカメラ１０は、全体制御部１２を有している。また、デジタルカメラ１０および支持台２０は、結合部１６，２６を介して、電気的に接続されている。全体制御部１２は、デジタルカメラ１０が支持台２０に支持された状態においては、結合部１６，２６を介して、支持台側電源ＢＴ２，ＡＴ２に対する制御を行う。【選択図】        図５
2004208131.tif 000002
【特許請求の範囲】
【請求項１】
電子カメラであって、
前記電子カメラが支持台に支持された状態で、前記電子カメラを前記支持台に対して電気的に接続する接続部と、
前記電子カメラが前記支持台に支持された状態においては、前記支持台に設けられた支持台側電源であって前記支持台の内部および／または外部の電力消費部材に対して電力を供給することが可能な支持台側電源に対する制御を、前記接続部を介して行う制御手段と、
を備えることを特徴とする電子カメラ。
【請求項２】
電子カメラであって、
前記電子カメラが支持台に支持された状態で、前記電子カメラを前記支持台に対して電気的に接続する接続部と、
前記電子カメラに対して電力を供給することが可能なカメラ側電源と、
を備え、
前記電子カメラが前記支持台に支持された状態においては、前記カメラ側電源が前記支持台の内部の電力消費部材に対して前記接続部を介して電力を供給することを特徴とする電子カメラ。
【請求項３】
電子カメラであって、
前記電子カメラが支持台に支持された状態で、前記電子カメラを前記支持台に対して電気的に接続する接続部と、
前記電子カメラに対して電力を供給することが可能なカメラ側電源と、
を備え、
前記電子カメラが前記支持台に支持された状態においては、前記カメラ側電源が前記支持台の外部の電力消費部材に対して、前記接続部および前記支持台の給電用接続部を介して電力を供給することを特徴とする電子カメラ。
【請求項４】
電子カメラであって、
第１の電源と、
前記第１の電源を含む複数の電源からの前記電子カメラへの電力供給方式を、第１の方式と第２の方式とを含む複数の方式の中から選択して制御する制御手段と、
を備え、
前記第１の方式は、前記第１の電源と電子カメラの支持台に設けられた第２の電源との状態に応じて、前記電子カメラへの電力供給元を第１の電源と第２の電源との間で変更する方式であり、
前記第２の方式は、前記第１の電源と前記第２の電源との状態にかかわらず、前記電子カメラへの電力供給元を前記第１の電源と前記第２の電源との間で変更しない方式であることを特徴とする電子カメラ。
【請求項５】
電子カメラであって、
第１の電源と、
前記第１の電源を含む複数の電源からの前記電子カメラへの電力供給方式を制御する制御手段と、
を備え、
前記制御手段は、前記電子カメラが前記電子カメラの支持台に支持された状態において、前記第１の電源と前記支持台に設けられた第２の電源とのいずれを用いて前記電子カメラへの電力供給を行うかを決定することを特徴とする電子カメラ。
【請求項６】
撮影システムであって、
電子カメラと、
前記電子カメラを支持する支持台と、
を備え、
前記支持台は、
前記支持台の内部および／または外部の電力消費部材に対して電力を供給することが可能な支持台側電源と、
前記支持台を前記電子カメラに対して電気的に接続する支持台側接続部と、を有し、
前記電子カメラは、
前記電子カメラを前記支持台に対して電気的に接続するカメラ側接続部と、
前記電子カメラが前記支持台に支持された状態において、前記支持台側接続部と前記カメラ側接続部とを介して、前記支持台側電源に対する制御を行う制御手段を有することを特徴とする撮影システム。
【発明の詳細な説明】
【０００１】
【発明の属する技術分野】
本発明は、カメラと当該カメラを支持する支持台とを備える撮影システムに関する。
【０００２】
【従来の技術】
従来、カメラを支持する三脚等の支持台に電池あるいはＡＣアダプタを内蔵しておき、支持台に支持されたカメラに対して給電する技術が存在する。このような従来技術としては、たとえば、下記の特許文献１，２に記載されたものが存在する。
【０００３】
【特許文献１】
実開平３−９６６３７号公報
【特許文献２】
実開平４−１２６２３８号公報
【０００４】
【発明が解決しようとする課題】
しかしながら、上記のような従来技術においては、カメラが撮影用の支持台に支持された状態で撮影を行う場合において、専ら支持台の電源を使ってカメラに電力を供給することが考慮されているだけであり、その他の方策については考慮されていない。たとえば、
▲１▼支持台の電源をどのように利用するのか（支持台の電源を利用すべきか否かなど）、
▲２▼カメラの電源をどのように利用するのか、
▲３▼カメラの電源と支持台の電源とをどのように使い分けるか、
などについては、十分に考慮されていない。そのため、電源の様々な状態に対応することができないという問題がある。
【０００５】
そこで、本発明は前記問題点に鑑み、電源の様々な状態に対応することが可能な撮影システムおよび当該撮影システムに関連する技術を提供することを目的とする。
【０００６】
【課題を解決するための手段】
上記目的を達成するため、請求項１の発明は、電子カメラであって、前記電子カメラが支持台に支持された状態で、前記電子カメラを前記支持台に対して電気的に接続する接続部と、前記電子カメラが前記支持台に支持された状態においては、前記支持台に設けられた支持台側電源であって前記支持台の内部および／または外部の電力消費部材に対して電力を供給することが可能な支持台側電源に対する制御を、前記接続部を介して行う制御手段と、を備えることを特徴とする。
【０００７】
請求項２の発明は、電子カメラであって、前記電子カメラが支持台に支持された状態で、前記電子カメラを前記支持台に対して電気的に接続する接続部と、前記電子カメラに対して電力を供給することが可能なカメラ側電源と、を備え、前記電子カメラが前記支持台に支持された状態においては、前記カメラ側電源が前記支持台の内部の電力消費部材に対して前記接続部を介して電力を供給することを特徴とする。
【０００８】
請求項３の発明は、電子カメラであって、前記電子カメラが支持台に支持された状態で、前記電子カメラを前記支持台に対して電気的に接続する接続部と、前記電子カメラに対して電力を供給することが可能なカメラ側電源と、を備え、前記電子カメラが前記支持台に支持された状態においては、前記カメラ側電源が前記支持台の外部の電力消費部材に対して、前記接続部および前記支持台の給電用接続部を介して電力を供給することを特徴とする。
【０００９】
請求項４の発明は、電子カメラであって、第１の電源と、前記第１の電源を含む複数の電源からの前記電子カメラへの電力供給方式を、第１の方式と第２の方式とを含む複数の方式の中から選択して制御する制御手段と、を備え、前記第１の方式は、前記第１の電源と電子カメラの支持台に設けられた第２の電源との状態に応じて、前記電子カメラへの電力供給元を第１の電源と第２の電源との間で変更する方式であり、前記第２の方式は、前記第１の電源と前記第２の電源との状態にかかわらず、前記電子カメラへの電力供給元を前記第１の電源と前記第２の電源との間で変更しない方式であることを特徴とする。
【００１０】
請求項５の発明は、電子カメラであって、第１の電源と、前記第１の電源を含む複数の電源からの前記電子カメラへの電力供給方式を制御する制御手段と、を備え、前記制御手段は、前記電子カメラが前記電子カメラの支持台に支持された状態において、前記第１の電源と前記支持台に設けられた第２の電源とのいずれを用いて前記電子カメラへの電力供給を行うかを決定することを特徴とする。
【００１１】
請求項６の発明は、撮影システムであって、電子カメラと、前記電子カメラを支持する支持台と、を備え、前記支持台は、前記支持台の内部および／または外部の電力消費部材に対して電力を供給することが可能な支持台側電源と、前記支持台を前記電子カメラに対して電気的に接続する支持台側接続部と、を有し、前記電子カメラは、前記電子カメラを前記支持台に対して電気的に接続するカメラ側接続部と、前記電子カメラが前記支持台に支持された状態において、前記支持台側接続部と前記カメラ側接続部とを介して、前記支持台側電源に対する制御を行う制御手段を有することを特徴とする。
【００１２】
【発明の実施の形態】
以下、本発明の実施形態を図面に基づいて説明する。
【００１３】
＜撮影システムの全体構成＞
図１は、本実施形態に係る撮影システム１の全体構成を示す図である。
【００１４】
撮影システム１は、書画（ドキュメント）や小物品などの被写体を被写体載置用スペースＰに載置し、当該被写体載置用スペースＰの上方の比較的近距離から、当該被写体を撮影するダウンフェース撮影用の近接撮影システムである。また、撮影システム１は、被写体載置用スペースＰに載置された紙原稿等の被写体ＯＢを一定の距離を保ちながら撮影して、電子的な画像データを生成可能なように構成される。また、撮影システム１は、後述するインターフェースを介して電気的に接続されたパーソナルコンピュータやプリンタやプロジェクタ等に対して、生成した画像データを出力することも可能である。
【００１５】
撮影システム１は、被写体ＯＢの像を光電変換して電子的な画像データを生成するデジタルカメラ１０（電子カメラ）と、デジタルカメラ１０を被写体ＯＢから一定距離だけ上方に離れた位置に支持する支持台２０（ないし支持部）とを備える。デジタルカメラ１０は、図２に示すように、支持台２０から分離可能であり、分離された場合は、比較的に遠方に位置する被写体の撮影も可能な通常のデジタルカメラとして使用可能である。支持台２０は、被写体載置用スペースＰの辺縁に沿って伸びた接地脚を持つ、ダウンフェース撮影用のカメラ支持スタンドである。
【００１６】
また、撮影システム１は、被写体照明のための主照明３０をさらに備えている。この主照明３０は、支持台２０（またはデジタルカメラ１０）の電源から電力を供給することによって、その光源（ランプ）３０ｂを点灯することができる。また、主照明３０は、ランプ３０ｂをフレキシブルアーム３０ｃの先端に設けた構成を有しており、ランプ３０ｂの位置および姿勢を任意に変更することが可能である。この主照明３０は、撮影システム１を暗い部屋の中で使用する場合などに利用される。より具体的には、暗い部屋の中で撮影システム１を用いてプレゼンテーションを行う場合などにおいて、被写体を照明するために主照明３０を用いることができる。周囲が十分に明るい場合などにおいては、主照明３０は必ずしも用いることを要しない。
【００１７】
デジタルカメラ１０、支持台２０、および主照明３０は、携帯可能となる程度に軽量に構成されている。したがって、撮影システム１は所定の位置に固定して配置される必要はなく、比較的容易にその設置場所を変更することができる。
【００１８】
以下では、まず、撮影システム１を構成するデジタルカメラ１０および支持台２０の構成について詳細に説明する。
【００１９】
＜デジタルカメラの構成＞
図３は、本実施形態に係るデジタルカメラ１０の外観構成を示す図であり、より詳細には、デジタルカメラ１０をその背面側からみた斜視図である。また、図２には、前面側からみたデジタルカメラ１０の斜視図が支持台２０とともに示されている。
【００２０】
図２に示すように、デジタルカメラ１０の前面側には、被写体像を取得するための撮影レンズ１０１が設けられている。
【００２１】
さらに、デジタルカメラ１０の前面側には、撮影時に被写体に照明光を照射する内蔵フラッシュ１０９が設けられている。内蔵フラッシュ１０９は、デジタルカメラ１０の筐体内に設けられて、デジタルカメラ１０と一体化されている。
【００２２】
さらに、デジタルカメラ１０は光学ファインダを備えており、デジタルカメラ１０の前面には、光学ファインダのファインダ対物窓１５１が設けられている。
【００２３】
また、デジタルカメラ１０の上面側には電源スイッチ１５２とシャッタボタン１５３とが設けられている。電源スイッチ１５２は、電源のオン状態とオフ状態とを切り替えるためのスイッチである。この電源スイッチ１５２を１回押下するたびに、オン状態とオフ状態とが順次に切り替わっていく。シャッタボタン１５３は、半押し状態（以後、Ｓ１状態と略記する）と全押し状態（以後、Ｓ２状態と略記する）とが検出可能な２段階スイッチになっている。このシャッタボタン１５３の押下によって被写体に関する画像を取得できる。
【００２４】
また、デジタルカメラ１０の側面には、インターフェース１７が設けられている。インターフェース１７は、たとえばＵＳＢ規格のインターフェースであり、電気的に接続されたパーソナルコンピュータやプリンタやプロジェクタ等の外部機器へ画像データを出力したり、制御信号を送受信することが可能である。この端子を用いることによれば、デジタルカメラ１０は、支持台２０と分離して単独で使用した場合でも、外部機器と接続して使用できる。
【００２５】
また、図２および図３には示されていないが、デジタルカメラ１０の別の側面には、挿抜自在な記憶媒体であるメモリカード１３を装着するカードスロットと、デジタルカメラ１０の電源となる電池（充電池）を内蔵させる電池室が設けられる。カードスロットおよび電池室は、デジタルカメラ１０の筐体表面に設けられたクラムシェルタイプの蓋により開閉自在となっている。
【００２６】
一方、図３に示すように、デジタルカメラ１０の背面側には、液晶モニタ１４が設けられる。この液晶モニタ１４は、撮影画像のモニタ表示や記録画像の再生表示等を行うための表示部として機能する。また、デジタルカメラ１０の背面側には、光学ファインダのファインダ接眼窓１５４が設けられる。操作者は、液晶モニタ１４またはファインダ接眼窓１５４によって被写体を確認しつつ撮影を行うことができる。
【００２７】
さらに、デジタルカメラ１０の背面側には、メニューボタン１５６が設けられており、撮影モード時にメニューボタン１５６が押下されると、撮影条件等を設定するためのメニュー画面が液晶モニタ１４に表示される。後述するように、電源制御方式はこのメニュー画面を用いた設定操作によって設定することができる。
【００２８】
さらに、デジタルカメラ１０の背面側には、実行ボタン１５７と、液晶モニタ１４における表示カーソルを４方向に移動させるための十字カーソルボタン１５８Ｕ，１５８Ｄ，１５８Ｒ，１５８Ｌで構成されるコントロールボタン１５８とが設けられる。実行ボタン１５７およびコントロールボタン１５８を用いて、各種パラメータの設定操作が行われる。
【００２９】
さらに、デジタルカメラ１０の背面側には、「撮影モード」と「再生モード」との間でデジタルカメラ１０の動作モードを切り替えるモード切り替えバー１５９が設けられる。モード切り替えバー１５９は、２接点のスライドスイッチであり、図３において右にセットすると、デジタルカメラ１０の動作モードは「撮影モード」に設定され、左にセットすると「再生モード」に設定される。動作モードが「撮影モード」に設定されると、ＣＣＤ１０３（後述）に結像している被写体像の画像データが比較的高速に更新されながら液晶モニタ１４に連続的に表示される（いわゆるライブビュー表示）。また、シャッタボタン１５３の操作によって撮影を行って被写体に関する画像データを生成することが可能となる。一方、動作モードが「再生モード」に設定されると、メモリカード１３に記録された画像データが読み出されて液晶モニタ１４に再生表示される。再生表示される画像は、コントロールボタン１５８Ｒおよび１５８Ｌで選択可能である。
【００３０】
また、デジタルカメラ１０の底面には、結合部１６が設けられている。この結合部１６は、デジタルカメラ１０と支持台２０との電気的な接続（結合）を実現する機能と、両者１０，２０間の機械的な結合を実現する機能とを有している。そのため、結合部１６は、４本の電気的接続部１６１，１６２，１６３，１６４と結合用のネジ穴１６５とを有している。
【００３１】
電気的接続部１６１，１６２，１６３，１６４は、その内部に電気接点を有する凹部材として形成されている。各電気的接続部１６１，１６２，１６３，１６４は、それぞれ、支持台２０側の４本の凸状（ピン形状）の電気的接続部２６１，２６２，２６３，２６４（後述、図４参照）とそれぞれ嵌合し、電気信号の授受等を行う。
【００３２】
より具体的には、電気的接続部１６１および電気的接続部２６１の間の電気的接続と、電気的接続部１６２および電気的接続部２６２の間の電気的接続とを用いることによって、制御信号ＳＧ（図５参照）および画像データＤＴ（図５参照）が送受信される。すなわち、電気的接続部１６１、１６２，２６１，２６２は、データ送受信部として機能する。また、電気的接続部１６３および電気的接続部２６３の間の電気的接続と、電気的接続部１６４および電気的接続部２６４の間の電気的接続とを用いることによって、電力ＰＷの供給動作（給電動作）および受給動作（受電動作）が行われる。すなわち、電気的接続部１６３、１６４，２６３，２６４は、給受電部（電力の供受給部）として機能する。
【００３３】
また、ネジ穴１６５は、デジタルカメラ１０の底面において、垂直な円筒穴として形成されている。より詳細には、この円筒穴の内面にネジ溝が切られており、ネジ穴１６５は雌ネジとして形成されている。支持台２０の結合部２６に設けられた雄ネジ２６５（後述）が、この雌ネジ１６５と螺合することによって、デジタルカメラ１０は支持台２０と機械的に結合される。また三脚を取付けることも可能である。
【００３４】
＜支持台の構成＞
図１および図２に示すように、支持台２０は、台座２１ａと支柱２１ｂとを備えている。
【００３５】
台座２１ａは、平面視Ｌ型形状の外観を有しており、被写体載置用スペースＰと同一平面内（以後、被写体載置面と略記する）に載置される。また、支柱２１ｂは、被写体載置面との角度を変更可能に接続されている。
【００３６】
具体的には、支柱２１ｂは台座２１ａに固定された回転支持部材２１ｅの回転軸を中心に回転することが可能であり、当該回転軸に設けられたネジ（図示せず）と回転支持部材２１ｅとで支柱２１ｂを挟み込むことによって、支柱２１ｂを所望の回転位置で固定することができる。さらに、支柱２１ｂは、所定の伸縮機構を有している。これにより、支柱２１ｂは、伸縮可能であり、その長さは所望の長さに調整可能である。
【００３７】
また、支持台２０は、デジタルカメラ１０との機械的結合を実現する結合部２６を備える。結合部２６は、支柱２１ｂと接続され、被写体載置用スペースＰから或る距離だけ上方に離れた位置に支持されている。
【００３８】
次に、結合部２６の詳細について、図４の斜視図を参照しながら説明する。結合部２６は、デジタルカメラ１０の結合部１６の雌ネジに対して螺合可能な雄ネジがきられた結合ネジ２６５を備える。結合ネジ２６５は、結合部２６に設けられた貫通穴に挿通されており、結合部２６に対して回転可能である。このため、結合ネジ２６５においてデジタルカメラ１０との結合端の反対端に設けられたつまみ（図４には図示せず）を回転させることによって、デジタルカメラ１０と支持台２０とを結合することが可能である。
【００３９】
さらに結合部２６は、デジタルカメラ１０と支持台２０との電気的な接続（結合）を実現する機能と、両者１０，２０間の機械的な結合を実現する機能とを有している。具体的には、結合部２６は、４本の電気的接続部２６１，２６２，２６３，２６４と結合用の雄ネジ２６５とを有している。
【００４０】
電気的接続部２６１，２６２，２６３，２６４は、それぞれ、その先端側に電気接点を有するピン形状の凸状部材（「信号ピン」とも称する）として形成される。各接続部２６１，２６２，２６３，２６４は、カメラ側の電気的接続部１６１，１６２，１６３，１６４とそれぞれ嵌合した状態で電気的接続が実現され電気信号の授受等を行う。
【００４１】
さらに、結合部２６は、デジタルカメラ１０と支持台２０とが機械的に結合されたことを検知する機能をも有している。
【００４２】
電気的接続部２６１，２６２，２６３，２６４の信号ピンは、圧力を印加することによって、それぞれ対応する接続部１６１，１６２，１６３，１６４に設けられた穴に対して、所定長さ分だけ圧入可能である。また、各信号ピンは、印加している圧力を取り除けば、圧入時に縮んだ長さ分が再度突出して元の形状が復元するように、バネ等を用いて構成されている。また、各信号ピンは、それぞれ、デジタルカメラ１０と支持台２０とを結合したときに、デジタルカメラ１０の電気的接続部１６１，１６２，１６３，１６４の電気接点と電気的な導通が得られる位置に設けられる。これらの構成によって、デジタルカメラ１０の結合部１６の雌ネジ１６５と結合部２６の結合ネジ２６５との螺合が深くなるにつれて、突出している各信号ピンは、デジタルカメラ１０の電気接点と電気的な導通を維持しながら、結合部１６に設けられた穴に圧入されてゆくことになる。さらに、その信号ピンが所定長さだけ圧入されると、デジタルカメラ１０と支持台２０とが結合されたことを示す検出信号が出力される。たとえば、電気的接続部２６１の信号ピンが所定量だけ縮んだことを検出するスイッチを電気的接続部２６１に設けておけばよい。あるいは、電気的接続部２６１の信号ピンが所定長さだけ圧入されたことを検出するスイッチを、電気的接続部１６１に設けておいてもよい。あるいは、導電材料である雄ネジ２６５が所定の位置にまで押し込まれたことを検知するスイッチをネジ穴１６５の内部に設けておいてもよい。
【００４３】
このような構成によって、デジタルカメラ１０が支持台２０に支持された状態で、デジタルカメラ１０が支持台２０に対して電気的に接続される。そして、スイッチからの検出信号を受信することによって、全体制御部１２，２２は、デジタルカメラ１０と支持台２０とが結合されていることを認識することができる。
【００４４】
＜デジタルカメラおよび支持台の機能構成＞
次に、デジタルカメラ１０の機能構成を説明する。図５は、デジタルカメラ１０および支持台２０の機能構成を示すブロック図である。
【００４５】
図４に示すように、デジタルカメラ１０は、被写体像を結像させる撮影レンズ１０１を備える。撮影レンズ１０１は、被写体の合焦状態を変化させるために、フォーカシングレンズが移動可能となっている。また、撮影レンズ１０１は、入射光量を変化させるために、絞りの開口径が調整可能となっている。
【００４６】
ＣＣＤ１０３は、撮影レンズ１０１の後方適所に設けられる撮像素子である。ＣＣＤ１０３は、撮影レンズ１０１によって結像された被写体像をＲ（赤），Ｇ（緑），Ｂ（青）の各色成分の画像信号（各画素から出力された画素信号の信号列）に変換して出力する。
【００４７】
画像処理部１０５は、ＣＣＤ１０３による画像信号に対して、Ａ／Ｄ変換、黒レベル補正、ホワイトバランス補正、γ補正などの各種の処理を施して、デジタル信号としての画像データを生成する。
【００４８】
画像メモリ１０７は、画像処理部１０５で処理が終了した画像データを一時的に記憶するバッファメモリである。画像メモリ１０７は、少なくとも１フレーム分の記憶容量を有する。
【００４９】
撮影モードにおける撮影待機状態においては、ＣＣＤ１０３により所定時間間隔ごとに取得された被写体像の画像データは、画像処理部１０５で処理され、画像メモリ１０７に記憶される。画像メモリ１０７に記憶された画像データは、全体制御部１２によって液晶モニタ１４に転送されて、視認可能に表示される（ライブビュー表示）。液晶モニタ１４に表示される画像は、上述の所定時間間隔で更新されるので、操作者は液晶モニタ１４に表示された画像により被写体を視認することができる。ここで、撮影待機状態とは、シャッタボタン１５３がＳ１状態となる前の状態をいう。
【００５０】
また、撮影モードにおいて、シャッタボタン１５３がＳ２状態にされると、本撮影動作が開始される。本撮影動作で取得された画像データは、画像処理部１０５で処理され、画像メモリ１０７に一旦記憶された後、メモリカード１３に記憶される。メモリカード１３は、フラッシュメモリなどの不揮発性メモリを備えている。
【００５１】
また、再生モードにおいては、メモリカード１３から読み出された画像データが、全体制御部１２で所定の信号処理が施された後に液晶モニタ１４に転送されて、視認可能に表示される。
【００５２】
続いて、デジタルカメラ１０のその他の機能構成を説明する。
【００５３】
操作部１５は、上述したメニューボタン１５６、コントロールボタン１５８、シャッタボタン１５３および電源スイッチ１５２を包括する。操作者が操作部１５に所定の操作を行うと、その操作内容は全体制御部１２に伝達され、デジタルカメラ１０の動作状態に反映される。
【００５４】
結合部１６は、デジタルカメラ１０と支持台２０とが結合されている場合に、デジタルカメラ１０の全体制御部１２と支持台２０の全体制御部２２との間で所定の通信方式で制御信号および画像データを送受信する。これによって、デジタルカメラ１０で撮影して得られた画像データは、後述する支持台２０の全体制御部２２およびインターフェース２７を介して、パーソナルコンピュータ、プリンタおよびプロジェクタ等の外部機器ＥＸＴへ出力可能である。また、デジタルカメラ１０は、支持台２０に設けられた操作部２５によっても操作可能となる。
【００５５】
全体制御部１２は、ＲＡＭ１２ａおよびＲＯＭ１２ｂを備えたマイクロコンピュータである。該マイクロコンピュータがＲＯＭ１２ｂに格納されたプログラムを実行することにより、全体制御部１２はデジタルカメラ１０の各部を統括的に制御する制御手段として機能する。なお、ＲＯＭ１２ｂは電気的にデータの書き換えが可能な不揮発性メモリである。
【００５６】
次に、支持台２０の機能構成を図５を参照しながら説明する。
【００５７】
図５に示すように、支持台２０は、支持台２０の各部の動作を統括制御する全体制御部２２を備える。全体制御部２２は、ＲＡＭ２２ａおよびＲＯＭ２２ｂを備えたマイクロコンピュータである。マイクロコンピュータがＲＯＭ２２ｂに格納されたプログラムを実行することにより、全体制御部２２は支持台２０の各部を統括的に制御する制御手段として機能する。なお、ＲＯＭ２２ｂは電気的にデータの書き換えが不可能な不揮発性メモリである。
【００５８】
また、支持台２０は、原稿明るさ検出部２３、副照明２４、操作部２５、インターフェース２７、および電源状態表示ランプ２９をさらに備えている。
【００５９】
原稿明るさ検出部２３は、フォトトランジスタ等の光センサから構成される。原稿明るさ検出部２３は、被写体載置用スペースＰからの光を検出して、その輝度に応じた信号を出力する機能を有する。これにより、原稿明るさ検出部２３は、被写体載置用スペースＰに被写体ＯＢが載置されたかどうかの検出手段として機能する。
【００６０】
副照明２４は、支柱２１ｂに設けられる。副照明２４は、全体制御部２２の制御信号に基づいて点灯する。より具体的には、操作者が操作部２５に対して所定の操作を行うと、全体制御部２２から副照明２４を点灯させるための制御信号が出力されて、副照明２４が点灯する。副照明２４は、被写体ＯＢの補助的な照明手段または後述する操作部の照明手段として用いられる。副照明２４によれば、暗い部屋の中で操作者の手元のみを照明することが可能である。
【００６１】
操作部２５は、台座２１ａに設けられる。操作部２５は、複数のボタン群を備える。操作者が操作部２５に所定の操作を行うと、その操作内容は全体制御部２２へ出力され、支持台２０の動作状態に反映される。また、デジタルカメラ１０と支持台２０の結合時には、操作部２５の操作は、全体制御部２２を介してデジタルカメラ１０の全体制御部１２にも転送可能である。これにより、操作部２５の操作によって、デジタルカメラ１０の撮影および設定操作を行うことも可能である。このため、結合時には、デジタルカメラ１０に触れることなく、操作部２５の操作によって、デジタルカメラ１０の撮影および設定操作が可能である。
【００６２】
インターフェース２７は、台座２１ａに設けられる。インターフェース２７は、たとえばＵＳＢ規格のインターフェース、シリアルインターフェースあるいはパラレルインターフェース等を含み、電気的に接続されたパーソナルコンピュータやプリンタやプロジェクタ等の外部機器ＥＸＴ（図５には図示せず）へ画像データを出力したり、制御信号を送受信することが可能である。
【００６３】
電源状態表示ランプ２９は、複数の電源（図５参照）のうちいずれの電源を使用しているかを表示するランプである。具体的には、カメラ側電源（外部ＡＣアダプタＡＴ１、内蔵充電池ＢＴ１）使用時には赤色で点灯し、台座側の内蔵充電池ＢＴ２使用時には緑色で点灯し、台座側の内蔵ＡＣアダプタＡＴ２使用時には黄色で点灯する。
【００６４】
＜電力供給＞
つぎに、撮影システム１における電力供給について説明する。
【００６５】
デジタルカメラ１０は、電源として内蔵充電池ＢＴ１を備えている。また、デジタルカメラ１０は、電源として外部ＡＣアダプタＡＴ１を接続することもできる。これらの電源ＢＴ１，ＡＴ１は、デジタルカメラ１０側に設けられる電源であるので、以下「カメラ側電源」とも総称するものとする。
【００６６】
このカメラ側電源は、デジタルカメラ１０の単体使用時には、デジタルカメラ１０自身に対して電力を供給することが可能である。また、デジタルカメラ１０と支持台２０とが結合された状態では、後述する電源制御方式にも依存するが、カメラ側電源は、結合部１６，２６を介して支持台２０に対しても電力を供給することが可能である。また、同様に電源制御方式にも依存するが、主照明３０が給電用接続部ＡＸを用いて支持台２０に接続されていれば、カメラ側電源は、結合部１６，２６および給電用接続部ＡＸを介して主照明３０に対しても電力を供給することが可能である。
【００６７】
一方、支持台２０は、電源として、内蔵充電池ＢＴ２と内蔵ＡＣアダプタＡＴ２とを備えている。これらの電源ＢＴ２，ＡＴ２は、支持台２０側（より詳細には支持台２０の台座２１ａ）に設けられる電源であるので、以下「支持台側電源（ないし台座側電源）」とも称するものとする。
【００６８】
この支持台側電源は、支持台２０の単体使用時には、支持台２０自身に対して電力を供給することが可能である。さらに、デジタルカメラ１０と支持台２０とが結合された状態では、後述する電源制御方式にも依存するが、支持台側電源は、結合部１６，２６を介してデジタルカメラ１０に対しても電力を供給することが可能である。また、同様に電源制御方式にも依存するが、主照明３０が給電用接続部ＡＸを用いて支持台２０に接続されていれば、支持台側電源は、給電用接続部ＡＸを介して主照明３０に対しても電力を供給することが可能である。
【００６９】
また、支持台側電源の内蔵充電池ＢＴ２の電源容量（電池容量）は、カメラ側電源の内蔵充電池ＢＴ１の電源容量（電池容量）よりも大きい。
【００７０】
デジタルカメラ１０の電源制御部１８は、デジタルカメラ１０（より詳細にはデジタルカメラ１０内の各電力消費部材）に対する電力供給元を切り替える機能を有している。具体的には、内蔵充電池ＢＴ１と外部ＡＣアダプタＡＴ１と支持台側電源（内蔵ＡＣアダプタＡＴ２および内蔵充電池ＢＴ２）との中から、いずれかの電源を使用対象電源として選択する。言い換えれば、電源制御部１８は、デジタルカメラ１０に対する電力供給元を、複数の種類の電源の中から適宜の電源に切り替える機能を有している。また、この切り替え機能は、接続されている電源の種類（ＡＣアダプタであるか充電池であるかなど）を検出すること、および／または、その電源の電圧を測定することによって電源の残量を判定したりすることによって実現される。
【００７１】
同様に、支持台２０の電源制御部２８は、支持台２０（より詳細には支持台２０内の各電力消費部材）に対する電力供給元を切り替える機能を有している。具体的には、内蔵充電池ＢＴ２と内蔵ＡＣアダプタＡＴ２とカメラ側電源（外部ＡＣアダプタＡＴ１および内蔵充電池ＢＴ１）との中から、いずれかの電源を使用対象電源として選択する。言い換えれば、電源制御部２８は、支持台２０に対する電力供給元を、複数の種類の電源の中から適宜の電源に切り替える機能を有している。
【００７２】
また、電源制御部２８は、支持台２０の外部の電力消費部材に対する電力供給元をも切り替える機能を有している。たとえば、支持台２０の外部の主照明３０に対しては、支持台２０に設けられた給電用接続部ＡＸを経由して、選択した電源から電力を供給することができる。
【００７３】
まず、デジタルカメラ１０と支持台２０とが結合されていない状態での電力制御について説明する。
【００７４】
この状態では、デジタルカメラ１０および支持台２０の電力制御は、それぞれ別個に行われる。具体的には、デジタルカメラ１０の電力制御は、デジタルカメラ１０の全体制御部１２および電源制御部１８によって行われ、支持台２０の電力制御は、支持台２０の全体制御部２２および電源制御部２８によって行われる。これにより、デジタルカメラ１０は、内蔵充電池ＢＴ１または外部ＡＣアダプタＡＴ１からの給電を受け、支持台２０は内蔵充電池ＢＴ２または内蔵ＡＣアダプタＡＴ２からの給電を受ける。
【００７５】
つぎに、デジタルカメラ１０が支持台２０に結合されている場合の電力制御について詳細に説明する。
【００７６】
ここでは、４種類の電源ＡＴ１，ＢＴ１，ＡＴ２，ＢＴ２のうちのいずれか１つの使用可能な電源を用いてデジタルカメラ１０および支持台２０をとりあえず起動状態にする場合について説明する。これによれば、カメラ側電源または支持台側電源の一方が十分でない場合に、デジタルカメラ１０または支持台２０が起動しないという事態を回避することができる。なお、一旦起動した後には、後述するように、使用すべき電源が電源制御方式に応じてさらに決定される。
【００７７】
まず、操作部２５内の電源スイッチの操作によって、電源を投入する動作が行われると、支持台２０側の電源制御部２８は、カメラ側電源（ＡＴ１，ＢＴ１）からの電力が電源制御部１８を介して供給されているか否かを判定する。
【００７８】
支持台２０の電源制御部２８は、カメラ側電源からの電力供給がないと判定したときには、電源制御部１８を介して、支持台側電源（ＡＴ２またはＢＴ２）からデジタルカメラ１０に向けて給電を開始する。そして、電源制御部１８は、デジタルカメラ１０内の全体制御部１２などの電力消費部材に対する電力供給を開始する。これにより、カメラ側電源からの電力供給がない場合でも、デジタルカメラ１０を支持台側電源を用いて起動させることができる。また、支持台２０内の全体制御部２２などの各電力消費部材に対しては、電源制御部２８を介して支持台側電源からの電力供給を開始することによって、支持台２０をも起動状態にすることができる。
【００７９】
一方、カメラ側電源からの電力供給が有ると判定されるときには、デジタルカメラ１０は、電源制御部１８を介して、そのカメラ側電源（ＡＴ１またはＢＴ１）から電力供給を受け、起動状態に移行する。また、支持台２０は、電源制御部２８によって支持台側電源およびカメラ側電源のいずれかから電力供給を受けて、起動状態に移行する。
【００８０】
以上のようにして、全体制御部１２，２２に対する給電が開始され、デジタルカメラ１０および支持台２０は起動状態に移行する。
【００８１】
起動したデジタルカメラ１０の全体制御部１２は、デジタルカメラ１０および支持台２０の両者が結合状態であることを検出した検出信号を、直接又は全体制御部２２等を介して受信し、両者が結合状態であることを認識する。さらに、全体制御部１２は、全体制御部２２と通信し、デジタルカメラ１０における電力制御と支持台２０における電力制御との両方を全体制御部１２が統括的に行うことを決定する。すなわち、結合状態においては、撮影システム１における電力制御は、全体制御部２２によって行われるのではなく、全体制御部１２によって行われる。言い換えれば、結合状態においては、支持台２０の支持台側電源に対する制御とデジタルカメラ１０自身のカメラ側電源に対する制御とは、いずれも、デジタルカメラ１０の全体制御部１２からの制御信号に応じて行われる。
【００８２】
その後、全体制御部１２は、次述するような４つの電源制御方式のいずれかにしたがって、使用すべき電源を選択して決定する。言い換えれば、撮影システム１における電源制御は、４つの方式の中から操作者によって選択された所望の方式に基づいて、全体制御部１２によって行われることになる。
【００８３】
さて、撮影システム１における４つの電源制御方式について説明する。
【００８４】
４つの電源制御方式の中うちいずれの方式を採用するかは、操作者の操作によって選択される。ここでは、この電源制御方式の選択のための設定操作は、上述した結合状態になるまでに予め行われているものとするが、結合状態になった後に行うようにしてもよい。
【００８５】
具体的には、電源制御方式の設定操作は、デジタルカメラ１０における液晶モニタ（表示部）１４および操作部１５を用いて行われる。
【００８６】
このデジタルカメラ１０においては、次のようにして、４つの電源制御方式（電源制御モード）を選択することができる。
【００８７】
具体的には、まず、所定の操作によって、図６のようなメニュー画面を液晶モニタ１４に表示させる。その後、コントロールボタン１５８を用いて「電源選択」の選択肢を選択する。
【００８８】
この選択操作によって、図７のような設定用のメニュー画面がデジタルカメラ１０の液晶モニタ１４に表示される。
【００８９】
操作者は、図７のメニュー画面を用いて、４つの選択肢の中から所望の設定を選択する。具体的には、４つの選択肢は、図７に示すように、
（１）支持台側電源（台座側電源）を優先的に利用し、支持台側電源の残量が少なくなるとカメラ側電源に切り替える方式（以下、方式Ｈ１とも称する）、
（２）カメラ側電源を優先的に利用し、カメラ側電源の残量が少なくなると支持台側電源（台座側電源）に切り替える方式（以下、方式Ｈ２とも称する）、
（３）支持台側電源（台座側電源）のみを用いる方式（以下、方式Ｈ３とも称する）、
（４）カメラ側電源のみを用いる方式（以下、方式Ｈ４とも称する）、
である。
【００９０】
このような各方式を適宜に選択して用いることによって、デジタルカメラ１０と支持台２０とが結合された状態では、支持台２０の支持台側電源および／またはデジタルカメラ１０のカメラ側電源を、デジタルカメラ１０用の電源として用いたり、支持台２０に設けられた電力消費部材（副照明２４などの照明部材）用の電源として用いたり、さらには、支持台２０の外部の電力消費部材（たとえば主照明３０などの照明部材）用の電源として用いることが可能になる。
【００９１】
つぎに、各方式に基づく電力制御について詳細に説明する。
【００９２】
まず、（１）方式Ｈ１（支持台側電源を優先的に利用し、支持台側電源の残量が少なくなるとカメラ側電源に切り替える方式）、が選択されている場合について説明する。
【００９３】
この場合、デジタルカメラ１０の全体制御部１２は、支持台２０の電源制御部２８を用いて、支持台側電源の残量を検出する。
【００９４】
具体的には、全体制御部１２は、まず、電源制御部２８および全体制御部２２を介して内蔵ＡＣアダプタＡＴ２が交流電源に接続されているか（すなわち内蔵ＡＣアダプタＡＴ２からの電力供給がなされているか）を確認する。そして、内蔵ＡＣアダプタＡＴ２が交流電源に接続されていると判定される場合には、全体制御部１２は、支持台側電源である内蔵ＡＣアダプタＡＴ２を、デジタルカメラ１０および支持台２０における電力供給元として用いることを決定し、その旨を電源制御部１８，２８に対して通知する。これに応じて、電源制御部１８および電源制御部２８は、それぞれ、デジタルカメラ１０および支持台２０に対して、内蔵ＡＣアダプタＡＴ２を電力供給元として用いる電力供給を開始する。
【００９５】
また、全体制御部１２は、内蔵ＡＣアダプタＡＴ２が交流電源に接続されていないと判定される場合には、電源制御部２８および全体制御部２２を介して、もう１つの支持台側電源である内蔵充電池ＢＴ２の残量が所定の基準レベル以下にまで減少したか否かを検出する。なお、基準レベルとは、その電源が使用不可能となる残量レベルを意味し、具体的には、充電池の電圧によって判断される。
【００９６】
全体制御部１２は、内蔵充電池ＢＴ２の残量が基準レベルより多いと判定される場合には、内蔵充電池ＢＴ２を、デジタルカメラ１０および支持台２０における電力供給元として用いることを決定し、その旨を電源制御部１８，２８に対して通知する。これに応じて、電源制御部１８および電源制御部２８は、それぞれ、デジタルカメラ１０および支持台２０に対して、内蔵充電池ＢＴ２を電力供給元として用いる電力供給を開始する。
【００９７】
一方、内蔵ＡＣアダプタＡＴ２を使って給電されておらず且つ内蔵充電池ＢＴ２の残量が基準レベル以下にまで減少したと判定される場合には、全体制御部１２は、支持台側電源ＢＴ２は十分な残量を有していないと判定して、電力供給元をカメラ側電源に切り替えるように制御する。具体的には、全体制御部１２は、内蔵充電池ＢＴ１または外部ＡＣアダプタＡＴ１のいずれかに切り替える旨を電源制御部１８，２８に対して通知する。これに応じて、電源制御部１８および電源制御部２８は、それぞれ、デジタルカメラ１０および支持台２０に対して、内蔵充電池ＢＴ１または外部ＡＣアダプタＡＴ１のいずれかを電力供給元として用いる電力供給を開始する。
【００９８】
なお、ここでは、外部ＡＣアダプタＡＴ１がデジタルカメラ１０に接続されているときには、外部ＡＣアダプタＡＴ１を優先的に電力供給元として用いるものとする。また、外部ＡＣアダプタＡＴ１の接続状態および内蔵充電池ＢＴ１の残量は、デジタルカメラ１０の電源制御部１８を介して認識することができる。
【００９９】
このように、全体制御部１２は、支持台側の内蔵ＡＣアダプタＡＴ２、内蔵充電池ＢＴ２、カメラ側の外部ＡＣアダプタＡＴ１、内蔵充電池ＢＴ１の順で、使用可能な電源を選択する。
【０１００】
そして、全体制御部１２は、デジタルカメラ１０および支持台２０の結合状態において、上記のような判断動作を常に行う。これにより、複数の電源のうち支持台側電源を優先的に利用し、支持台側電源の残量が基準レベルにまで低減した時点で、カメラ側電源に切り替えるという制御動作が実現される。
【０１０１】
つぎに、（２）方式Ｈ２（カメラ側電源を優先的に利用し、カメラ側電源の残量が少なくなると支持台側電源に切り替える方式）、が選択されている場合について説明する。
【０１０２】
この場合、デジタルカメラ１０の全体制御部１２は、デジタルカメラ１０の電源制御部１８を用いて、カメラ側の電源の残量を検出する。
【０１０３】
具体的には、全体制御部１２は、まず、電源制御部１８を介して、外部ＡＣアダプタＡＴ１が交流電源に接続された状態でデジタルカメラ１０に接続されているか（すなわち外部ＡＣアダプタＡＴ１からデジタルカメラ１０への電力供給がなされているか）を確認する。そして、外部ＡＣアダプタＡＴ１からデジタルカメラ１０への電力供給がなされていると判定される場合には、全体制御部１２は、カメラ側電源である外部ＡＣアダプタＡＴ１を、デジタルカメラ１０および支持台２０における電力供給元として用いることを決定し、その旨を電源制御部１８，２８に対して通知する。これに応じて、電源制御部１８および電源制御部２８は、それぞれ、デジタルカメラ１０および支持台２０に対して、外部ＡＣアダプタＡＴ１を電力供給元として用いる電力供給を開始する。
【０１０４】
また、全体制御部１２は、外部ＡＣアダプタＡＴ１からの電力供給がなされていないと判定される場合には、電源制御部１８を介して、もう１つのカメラ側電源である内蔵充電池ＢＴ１の残量が基準レベル以下にまで減少したか否かを検出する。
【０１０５】
全体制御部１２は、内蔵充電池ＢＴ１の残量が基準レベルより多いと判定される場合には、内蔵充電池ＢＴ１を、デジタルカメラ１０および支持台２０における電力供給元として用いることを決定し、その旨を電源制御部１８，２８に対して通知する。これに応じて、電源制御部１８および電源制御部２８は、それぞれ、デジタルカメラ１０および支持台２０に対して、内蔵充電池ＢＴ１を電力供給元として用いる電力供給を開始する。
【０１０６】
さらに、全体制御部１２は、内蔵充電池ＢＴ１の残量が基準レベル以下にまで減少したと判定される場合には、カメラ側電源は十分な残量を有していないと判定して、電力供給元を支持台側電源に切り替えるように制御する。具体的には、全体制御部１２は、内蔵充電池ＢＴ２または内蔵ＡＣアダプタＡＴ２のいずれかに切り替える旨を電源制御部１８，２８に対して通知する。これに応じて、電源制御部１８および電源制御部２８は、それぞれ、デジタルカメラ１０および支持台２０に対して、内蔵充電池ＢＴ２または内蔵ＡＣアダプタＡＴ２のいずれかを電力供給元として用いる電力供給を開始する。
【０１０７】
なお、ここでは、内蔵ＡＣアダプタＡＴ２がデジタルカメラ１０に接続されているときには、内蔵ＡＣアダプタＡＴ２を優先的に電力供給元として用いるものとする。また、内蔵ＡＣアダプタＡＴ２の接続状態および内蔵充電池ＢＴ２の残量は、支持台２０の電源制御部２８および全体制御部２２を介して認識することができる。
【０１０８】
さらに、（３）方式Ｈ３（支持台側電源のみを用いる方式）が選択されている場合について説明する。
【０１０９】
この場合には、デジタルカメラ１０の全体制御部１２は、支持台２０の電源制御部２８を用いて、支持台側電源の残量を検出する。
【０１１０】
そして、内蔵ＡＣアダプタＡＴ２が支持台２０に接続されているか、あるいは、内蔵充電池ＢＴ２の残量が基準レベルよりも多いことが確認されると、全体制御部１２は、その支持台側電源をデジタルカメラ１０および支持台２０における電力供給元として決定し、その旨を電源制御部１８，２８に対して通知する。これに応じて、電源制御部１８および電源制御部２８は、それぞれ、デジタルカメラ１０および支持台２０に対して、内蔵充電池ＢＴ２を電力供給元として用いる電力供給を開始する。
【０１１１】
一方、内蔵ＡＣアダプタＡＴ２が支持台２０に接続されておらず、かつ、内蔵充電池ＢＴ２の残量が基準レベル以下であることが確認されると、全体制御部１２は、スピーカＳＫに警告音を出力させ、所定時間が経過した後に電力供給を停止し、デジタルカメラ１０および支持台２０の双方を電源オフの状態とする。
【０１１２】
最後に、（４）方式Ｈ４（カメラ側電源のみを用いる方式）が選択されている場合について説明する。
【０１１３】
この場合には、デジタルカメラ１０の全体制御部１２は、デジタルカメラ１０の電源制御部１８を用いて、カメラ側の電源の残量を検出する。
【０１１４】
そして、外部ＡＣアダプタＡＴ１がデジタルカメラ１０に接続されているか、あるいは、内蔵充電池ＢＴ１の残量が基準レベルよりも多いことが確認されると、そのカメラ側電源をデジタルカメラ１０および支持台２０における電力供給元として決定し、その旨を電源制御部１８，２８に対して通知する。これに応じて、電源制御部１８および電源制御部２８は、それぞれ、デジタルカメラ１０および支持台２０に対して、そのカメラ側電源を電力供給元として用いる電力供給を開始する。
【０１１５】
一方、外部ＡＣアダプタＡＴ１が支持台２０に接続されておらず、かつ、内蔵充電池ＢＴ１の残量が基準レベル以下であることが確認されると、全体制御部１２は、スピーカＳＫを用いて警告音を出力させ、所定時間が経過した後に電力供給を停止し、デジタルカメラ１０および支持台２０の双方を電源オフの状態とする。
【０１１６】
以上のように、操作者によって選択された方式にしたがって電力制御が行われる。
【０１１７】
また、上述したように、上記の方式Ｈ１〜Ｈ４のいずれにおいても、使用中の電源種類は、電源状態表示ランプ２９の表示色によって区別される。具体的には、電源状態表示ランプ２９は、カメラ側電源（外部ＡＣアダプタＡＴ１、内蔵充電池ＢＴ１）使用時には赤色で点灯し、支持台側の内蔵充電池ＢＴ２使用時には緑色で点灯し、支持台側の内蔵ＡＣアダプタＡＴ２使用時には黄色で点灯する。したがって、操作者は、電源状態表示ランプ２９の表示色によって、使用中の電源種類を認識できる。
【０１１８】
さらに、上記の方式Ｈ１，Ｈ３においては、支持台側の内蔵充電池ＢＴ２使用中に、内蔵充電池ＢＴ２の残量が警告レベルにまで減少したときには、電源状態表示ランプ２９の表示状態を常時点灯状態から点滅状態（詳細には、緑色点滅状態）へと移行させる。同様に、上記の方式Ｈ２，Ｈ４においては、カメラ側の内蔵充電池ＢＴ１使用中に、内蔵充電池ＢＴ１の残量が警告レベルにまで減少したときには、電源状態表示ランプ２９の表示状態を常時点灯状態から点滅状態（詳細には、赤色点滅状態）へと移行させる。これにより、操作者は、支持台側あるいはカメラ側の充電池がまもなく使用できなくなることを認識できる。なお、警告レベルとは、その電源が使用不可能となる基準レベルよりも、所定量だけ残量が多いレベルを意味する。
【０１１９】
さらに、上記の方式Ｈ１，Ｈ２においては、使用電源を切り替えたときには、デジタルカメラ１０に内蔵されたスピーカＳＫ（音声出力部、図５参照）から所定の音声（ブザー音、チャイム音、人の声など）を出力して操作者に報知する。あるいは、使用電源を切り替えたときには、支持台２０に内蔵されたスピーカ（音声出力部、図５参照）から所定の音声を出力して操作者に報知するようにしてもよい。あるいは、使用電源を切り替えたことを示す内容をデジタルカメラ１０の液晶モニタ１４に表示するようにしてもよい。このように、デジタルカメラ１０および支持台２０への電力供給元が、カメラ側電源と支持台側電源との間での切換えられたことに応答して、所定の報知手段によってその切換を報知することが好ましい。これによれば、操作者は、使用中の電源が切り替わったことを容易に認識できる。
【０１２０】
以上のように、この実施形態によれば、デジタルカメラ１０が支持台２０に支持された状態においては、デジタルカメラ１０の全体制御部１２は、支持台２０に設けられた支持台側電源に対する制御を、結合部１６，２６を介して行う。したがって、支持台側電源の状態に柔軟に対応することが可能である。
【０１２１】
また、全体制御部１２は、デジタルカメラ１０が結合部１６，２６を用いて支持台２０に支持された状態において、カメラ側電源と支持台側電源とのいずれがデジタルカメラ１０および支持台２０への電力供給を行うかの決定を行う。言い換えれば、デジタルカメラ１０および支持台２０に対する電力供給元の決定が全体制御部１２によって行われる。したがって、カメラ側電源および支持台側電源の状態に柔軟に対応することができる。
【０１２２】
さらに、この電力供給元の決定は、４つの方式Ｈ１〜Ｈ４の中から、操作者が選択した方式にしたがって行われる。
【０１２３】
この実施形態における４つの方式Ｈ１〜Ｈ４は、方式Ｈ１，Ｈ２と方式Ｈ３，Ｈ４とに大別される。
【０１２４】
前者の方式Ｈ１，Ｈ２は、カメラ側電源および支持台側電源の状態に応じて（特に電池の残量に応じて）、デジタルカメラ１０および支持台２０への電力供給元をカメラ側電源と支持台側電源との間で変更する方式である。これによれば、使用可能な電源を所定の順序で利用していくことができる。なお、方式Ｈ１，Ｈ２は、電源の状態に応じて電力供給元が決定される方式（端的に言えば、電力供給元が自動で設定される方式）であるとも表現できる。
【０１２５】
また、後者の方式Ｈ３，Ｈ４は、カメラ側電源および支持台側電源の状態にかかわらず、デジタルカメラ１０および支持台２０への電力供給元をカメラ側電源と支持台側電源との間で変更しない方式である。これによれば、使用すべき電源を指定し、指定した電源以外の電源を利用しないようにすることができる。なお、方式Ｈ３，Ｈ４は、操作者の操作によって実質的に電力供給元が決定される方式（端的に言えば、電力供給元が手動で設定される方式）であるとも表現できる。たとえば、方式Ｈ３が設定された場合には、専ら支持台側電源のみが電力供給元として用いられ、撮影システム１利用中に電力供給元は変更されない。
【０１２６】
この撮影システム１においては、上記の各方式を選択することができるので、様々な電源状態に柔軟に対応することができる。
【０１２７】
また、デジタルカメラ１０の全体制御部１２は、上記の方式Ｈ１，Ｈ３が選択されているときには、カメラ側電源からの電力供給よりも台座部側電源からの電力供給を優先的に利用して、デジタルカメラ１０への電力供給を制御するので、カメラ側電源（特に内蔵充電池ＢＴ１）の消耗を防止できる。したがって、たとえば、デジタルカメラ１０を支持台２０に結合させて撮影システム１として用いた直後にデジタルカメラ１０を支持台２０から離脱させ単体のデジタルカメラとして使用する場合においても、撮影時間および／または撮影枚数の減少を防止することができる。
【０１２８】
特に、全体制御部１２は、上記の方式Ｈ１が選択されているときには、支持台側電源（特に内蔵充電池ＢＴ２）の残量に応じて、デジタルカメラ１０自身に対する電力供給を、カメラ側電源から受けるかあるいは支持台側電源から受けるかを決定している。したがって、支持台側電源の電力状況に応じて、電力供給元を変更できることになる。
【０１２９】
また、全体制御部１２は、上記の方式Ｈ２，Ｈ４が選択されているときには、支持台側電源からの電力供給よりもカメラ側電源からの電力供給を優先的に利用して、デジタルカメラ１０への電力供給を制御するので、カメラ側電源の利用頻度を高めることになる。したがって、撮影システム１においてカメラ側電源を使用している場合には、デジタルカメラ１０を分離してデジタルカメラ単体としてするときにも使用電源を切り替えることなくそのままカメラ側電源を使用し続けることができる。このため、例えば、デジタルカメラ１０を支持台２０に結合させた状態と離脱させた状態とを繰り返しつつ撮影する場合においても、デジタルカメラ１０を再起動させることなくそのまま利用し続けることが可能になる。
【０１３０】
さらに、方式Ｈ１，Ｈ２，Ｈ４が選択されカメラ側電源からの電力供給が行われている場合、カメラ側電源は、支持台２０内部の電力消費部材（副照明２４など）に対して、結合部１６，２６を介して電力を供給することができる。したがって、支持台側電源の残量が十分でない場合（たとえば、内蔵ＡＣアダプタＡＴ２が接続されておらず内蔵充電池ＢＴ２の残量が基準レベル以下の場合など）においても、カメラ側電源を用いて支持台２０内部の電力消費部材に対する電力供給を行うことが可能である。すなわち、支持台側電源の状態にかかわらず、カメラ側電源を用いて電力供給を行うことが可能である。言い換えれば、各電源の状態に柔軟に対応することができる。
【０１３１】
また、同様に、方式Ｈ１，Ｈ２，Ｈ４が選択されカメラ側電源からの電力供給が行われている場合、カメラ側電源は、支持台２０の外部の電力消費部材（主照明３０など）に対して、結合部１６，２６および給電用接続部ＡＸ（図５）を介して電力を供給することができる。したがって、支持台側電源の残量が十分でない場合においても、カメラ側電源を用いて支持台２０外部の電力消費部材に対する電力供給を行うことが可能である。すなわち、支持台側電源の状態にかかわらず、カメラ側電源を用いて電力供給を行うことが可能である。言い換えれば、各電源の状態に柔軟に対応することができる。
【０１３２】
さらに、上記実施形態においては、携帯可能な支持台２０とデジタルカメラ１０とを結合させるだけで撮影システム１を構築することができる。言い換えれば、撮影システム１は様々な場所で簡易に組み立てられるため、その撮影準備が簡易である。特に、支持台側電源として内蔵充電池ＢＴ２を用いれば、ＡＣアダプタＡＴ１，ＡＴ２を交流電源に接続するなどの操作を伴う必要がないので、撮影システム１の撮影準備（セッティング作業）をさらに簡易に完了することができる。また、内蔵充電池ＢＴ２は内蔵充電池ＢＴ１よりも電池容量が大きいので、内蔵充電池ＢＴ１を用いる場合に比べてより長時間にわたって使用することが可能になる。
【０１３３】
＜その他＞
以上、この発明の実施の形態について説明したが、この発明は上記説明した内容のものに限定されるものではない。
【０１３４】
たとえば、上記実施形態においては、デジタルカメラ１０および支持台２０への電力供給を一斉に切り替える場合について説明したが、これに限定されない。たとえば、デジタルカメラ１０に対する電力供給を上記実施形態のように行い、支持台２０に対する電力供給は常に支持台側電源から行うようにしてもよい。
【０１３５】
また、上記実施形態においては、全体制御部１２による支持台側電源に対する制御の一例として、デジタルカメラ１０および支持台２０に対する電力供給元を、支持台側電源ＡＴ２，ＢＴ２（およびカメラ側電源ＡＴ１，ＢＴ１）を含む複数の電源の中から、全体制御部１２が決定する場合を例示したが、これに限定されない。
【０１３６】
たとえば、交流電源に接続された外部ＡＣアダプタＡＴ１がさらにデジタルカメラ１０に接続されている場合には、全体制御部１２からの指令によって、その外部ＡＣアダプタＡＴ１を用いて支持台２０の内蔵充電池ＢＴ２を充電するようにしてもよい。これによれば、内蔵ＡＣアダプタＡＴ２を交流電源に接続することなく、内蔵充電池ＢＴ２を充電することができる。
【０１３７】
さらに、上記実施形態においては、電源電池として、内蔵充電池（二次電池）を例示しているが、これに限定されず、アルカリ電池などの一次電池であってもよい。
【０１３８】
また、上記においては説明していないが、デジタルカメラ１０と支持台２０とが結合された状態では、デジタルカメラ１０を省電力モードに移行するようにしてもよい。具体的には、液晶モニタ１４のバックライトを消灯するようにしてもよい。その場合、上述したような電源切替が発生したときには、一旦その消灯状態から点灯状態へと復帰して、その電源切替が発生した旨を表示するようにしてもよい。
【０１３９】
なお、上述した具体的実施形態には以下の構成を有する発明が含まれている。
【０１４０】
（１）請求項１に記載の電子カメラにおいて、
前記制御手段は、前記支持台側電源を含む複数の電源の中から、前記電子カメラに対する電力供給元を決定することを特徴とする電子カメラ。
【０１４１】
（２）請求項１に記載の電子カメラにおいて、
前記電子カメラに対して電力を供給することが可能なカメラ側電源、
をさらに備え、
前記制御手段は、前記カメラ側電源からの電力供給よりも前記支持台側電源からの電力供給を優先的に利用して、前記電子カメラへの電力供給を制御することを特徴とする電子カメラ。これによれば、カメラ側電源の消耗を防止できる。
【０１４２】
（３）請求項１に記載の電子カメラにおいて、
前記電子カメラに対して電力を供給することが可能なカメラ側電源、
をさらに備え、
前記制御手段は、前記支持台側電源における残量に応じて、前記電子カメラに対する電力供給を、前記カメラ側電源から受けるかあるいは前記支持台側電源から受けるかを決定することを特徴とする電子カメラ。これによれば、電子カメラに対する電力供給元を支持台側電源の状態に応じて変更することができる。
【０１４３】
（４）請求項１に記載の電子カメラにおいて、
前記電子カメラに対して電力を供給することが可能なカメラ側電源と、
前記電子カメラへの電力供給元が、前記カメラ側電源と前記支持台側電源との間で切替えられたことに応答して、当該切替えを報知する報知手段と、
をさらに備えることを特徴とする電子カメラ。これによれば、操作者は、使用中の電源が切り替わったことを容易に認識できる。
【０１４４】
（５）前記請求項５に記載の電子カメラにおいて、
前記第１の電源は、前記電子カメラ以外の電力消費部材（たとえば照明部材）に電力を供給することが可能であることを特徴とする電子カメラ。
【０１４５】
（６）前記請求項６に記載の撮影システムであって、
前記支持台は、携帯可能なものであり、
前記支持台側電源は、電池であることを特徴とする撮影システム。これによれば、撮影システムの撮影準備を簡易に行うことができる。
【０１４６】
（７）前記請求項６に記載の撮影システムであって、
前記電力消費部材は、照明部材を含み、
前記支持台側電源は、前記照明部材に電力を供給できる電源容量を有することを特徴とする撮影システム。これによれば、照明部材による照明を伴う撮影動作を行うことができる。
【０１４７】
（８）前記請求項６に記載の撮影システムであって、
前記電子カメラに対して電力を供給することが可能なカメラ側電源、
をさらに備え、
前記支持台側電源の電源容量は、前記カメラの電源容量よりも大きいことを特徴とする撮影システム。これによれば、支持台側電源を用いて比較的長く撮影動作を行うことができる。
【０１４８】
（９）電子カメラを支持する支持台であって、
前記電子カメラが前記支持台に支持された状態で、前記支持台を前記電子カメラに対して電気的に接続する接続部と、
前記支持台の内部および／または外部に設けられた電力消費部材に対して電力を供給する支持台側電源と、
を備え、
前記支持台側電源は、前記支持台が前記電子カメラを支持した状態においては、前記電子カメラの制御手段からの前記接続部を介した制御信号に応じて制御されることを特徴とする支持台。これによれば、支持台側電源の様々な状態に柔軟に対応できる。
【０１４９】
【発明の効果】
以上のように、請求項１および請求項６に記載の発明によれば、電子カメラが支持台に支持された状態においては、支持台側電源に対する制御は前記接続部を介して電子カメラの制御によって行われるので、支持台側電源の様々な状態に柔軟に対応できる。
【０１５０】
請求項２に記載の発明によれば、電子カメラが支持台に支持された状態においては、支持台側電源の残量が十分でない場合においても、カメラ側電源を用いて、支持台の内部の電力消費部材に対する電力供給を行うことが可能である。
【０１５１】
請求項３に記載の発明によれば、電子カメラが支持台に支持された状態においては、支持台側電源の残量が十分でない場合においても、カメラ側電源から支持台の外部の電力消費部材に対する電力供給を、接続部および支持台の給電用接続部を介して行うことが可能である。
【０１５２】
請求項４に記載の発明によれば、各方式を選択することができるので、各電源の様々な状態に柔軟に対応することができる。
【０１５３】
請求項５に記載の発明によれば、第１の電源と第２の電源とのいずれを用いて電子カメラへの電力供給を行うかが電子カメラの制御手段によって決定されるので、各電源の様々な状態に柔軟に対応することができる。
【図面の簡単な説明】
【図１】実施形態に係る撮影システムの全体構成を示す図である。
【図２】デジタルカメラと支持台とが分離した状態を示す図である。
【図３】デジタルカメラの外観構成を示す図である。
【図４】支持台の結合部の詳細を示す図である。
【図５】デジタルカメラおよび支持台の機能構成を示すブロック図である。
【図６】メニュー画面を示す図である。
【図７】電源制御方式を選択するメニュー画面を示す図である。
【符号の説明】
１  撮影システム
１０  デジタルカメラ（電子カメラ）
１５６  メニューボタン
１５７  実行ボタン
１５８  コントロールボタン
１６，２６  結合部
１８，２８  電源制御部
２０  支持台
２１ａ  台座
２１ｂ  支柱
２４  副照明
３０  主照明
ＡＴ１，ＢＴ１  カメラ側電源
ＡＴ２，ＢＴ２  支持台側電源
Ｈ１〜Ｈ４  電源制御方式
【図１】
2004208131.tif 000003
【図２】
2004208131.tif 000004
【図３】
2004208131.tif 000005
【図４】
2004208131.tif 000006
【図５】
2004208131.tif 000007
【図６】
2004208131.tif 000008
【図７】
2004208131.tif 000009